(57)【特許請求の範囲】
【請求項１】
立体画像を貼り付けるページが複数ある電子アルバムの上記ページのそれぞれに立体表示の視差量が規定されており，そのような電子アルバムを構成する上記ページに立体画像を貼り付ける画像貼り付け手段，
上記画像貼り付け手段によって立体画像が貼り付けられた上記ページに規定されている視差量を読み取る視差量読み取り手段，および
上記画像貼り付け手段によって上記ページに貼り付けられた立体画像に規定されている視差量を，上記視差量読み取り手段によって読み取られた視差量に変更する視差量変更手段，
を備えた電子アルバム生成装置。
【請求項２】
上記ページには立体画像を貼り付ける貼り付け領域が複数規定されており，かつ複数の貼り付け領域のそれぞれに立体表示の視差量が規定されており，
上記視差量読み取り手段は，
上記画像貼り付け手段によって立体画像が貼り付けられた上記貼り付け領域に規定されている視差量を読み取るものである，
請求項１に記載の電子アルバム生成装置。
【請求項３】
上記ページが２ページの見開きの１ページであり，上記ページの中央よりも内側の部分に規定されている貼り付け領域の視差量が，上記ページの中央よりも外側の部分に規定されている貼り付け領域の視差量よりも大きく規定されている，
請求項２に記載の電子アルバム生成装置。
【請求項４】
上記ページが見開きの１ページであり，上記ページの中央よりも内側の部分に規定されている貼り付け領域の視差量が，上記ページの中央よりも外側の部分に規定されている貼り付け領域の視差量よりも大きくなるように視差量を修正する第１の視差量修正手段，
をさらに備えた請求項１から３のうち，いずれか一項に記載の電子アルバム生成装置。
【請求項５】
上記画像貼り付け手段によって同一ページに貼り付けられた立体画像が複数の場合に，同一ページに貼り付けられた複数の立体画像の大きさが大きいほど視差量が大きくなるように，上記視差量変更手段によって変更させられた視差量を修正する第２の視差量修正手段，
をさらに備えた請求項１から４のうち，いずれか一項に記載の電子アルバム生成装置。
【請求項６】
上記複数の貼り付け領域のそれぞれの領域に立体画像が貼り付けられており，上記複数の貼り付け領域のうちの第1の貼り付け領域に貼り付けられている立体画像の視差量を調整する視差量調整手段，および
上記複数の貼り付け領域における視差量の大小関係が，上記視差量調整手段によって調整された前後において同じとなるように，上記複数の貼り付け領域のうち上記視差量調整手段によって調整された貼り付け領域を除く貼り付け領域の視差量を修正する第３の視差量修正手段，
をさらに備えた請求項２から５のうち，いずれか一項に記載の電子アルバム生成装置。
【請求項７】
上記画像貼り付け手段によって貼り付けられた立体画像に規定されていた視差量と立体画像が貼り付けられた貼り付け領域に規定されている視差量との差が第１のしきい値以上のときに警告する警告手段，
をさらに備えた請求項２から６のうち，いずれか一項に記載の電子アルバム生成装置。
【請求項８】
上記複数の貼り付け領域のうち，上記貼り付け領域に貼り付けられる立体画像に規定されている視差量との差が，第２のしきい値以下となる視差量が規定されている貼り付け領域を，他の貼り付け領域と異なって表示するように表示装置を制御する表示制御手段，
をさらに備えた請求項２から７のうち，いずれか一項に記載の電子アルバム生成装置。
【請求項９】
立体表示の視差量が規定されている１つのテンプレートに複数の立体画像を貼り付ける画像貼り付け手段，
上記画像貼り付け手段によって複数の立体画像が貼り付けられた上記テンプレートに規定されている視差量を読み取る視差量読み取り手段，および
上記画像貼り付け手段によって上記テンプレートに貼り付けられた複数の立体画像に規定されているそれぞれの視差量を，上記視差量読み取り手段によって読み取られた視差量にそれぞれ変更する視差量変更手段，
を備えた立体画像貼り付け装置。
【請求項１０】
上記テンプレートには立体画像を貼り付ける貼り付け領域が複数規定されており，かつ複数の貼り付け領域のそれぞれに立体表示の視差量が規定されており，
上記視差量読み取り手段は，
上記画像貼り付け手段によって立体画像が貼り付けられた上記貼り付け領域に規定されている視差量を読み取るものである，
請求項９に記載の立体画像貼り付け装置。
【請求項１１】
上記画像貼り付け手段によって貼り付けられた立体画像の大きさが大きいほど視差量が大きくなるように，上記視差量変更手段によって変更させられた視差量を修正する第１の視差量修正手段，
をさらに備えた請求項９または10に記載の立体画像貼り付け装置。
【請求項１２】
上記複数の貼り付け領域のそれぞれの領域に立体画像が貼り付けられており，上記複数の貼り付け領域のうちの第１の貼り付け領域に貼り付けられている立体画像の視差量を調整する視差量調整手段，および
上記複数の貼り付け領域における視差量の大小関係が，上記視差量調整手段によって調整された前後において同じとなるように，上記複数の貼り付け領域のうち上記視差量調整手段によって調整された貼り付け領域を除く貼り付け領域の視差量を修正する第２の視差量修正手段，
をさらに備えた請求項10または11に記載の立体画像貼り付け装置。
【請求項１３】
上記画像貼り付け手段によって貼り付けられた立体画像に規定されていた視差量と立体画像が貼り付けられた貼り付け領域に規定されている視差量との差が第１のしきい値以上のときに警告する警告手段，
をさらに備えた請求項10から12のうち，いずれか一項に記載の立体画像貼り付け装置。
【請求項１４】
上記複数の貼り付け領域のうち，上記貼り付け領域に貼り付けられる立体画像に規定されている視差量との差が，第２のしきい値以下となる視差量が規定されている貼り付け領域を，他の貼り付け領域と異なって表示するように表示装置を制御する表示制御手段，
をさらに備えた請求項10から13のうち，いずれか一項に記載の立体画像貼り付け装置。
【請求項１５】
画像貼り付け手段が，立体画像を貼り付けるページが複数ある電子アルバムの上記ページのそれぞれに立体表示の視差量が規定されており，そのような電子アルバムを構成する上記ページに立体画像を貼り付け，
視差量読み取り手段が，上記画像貼り付け手段によって立体画像が貼り付けられた上記ページに規定されている視差量を読み取り，
視差量変更手段が，上記画像貼り付け手段によって上記ページに貼り付けられた立体画像に規定されている視差量を，上記視差量読み取り手段によって読み取られた視差量に変更する，
電子アルバム生成装置の動作制御方法。
【請求項１６】
画像貼り付け手段が，立体表示の視差量が規定されている１つのテンプレートに複数の立体画像を貼り付け，
視差量読み取り手段が，上記画像貼り付け手段によって複数の立体画像が貼り付けられた上記テンプレートに規定されている視差量を読み取り，
視差量変更手段が，上記画像貼り付け手段によって上記テンプレートに貼り付けられた複数の立体画像に規定されているそれぞれの視差量を，上記視差量読み取り手段によって読み取られた視差量にそれぞれ変更する，
立体画像貼り付け装置の動作制御方法。
【請求項１７】
電子アルバム生成装置のコンピュータを制御するコンピュータが読み取り可能なプログラムであって，
立体画像を貼り付けるページが複数ある電子アルバムの上記ページのそれぞれに立体表示の視差量が規定されており，そのような電子アルバムを構成する上記ページに立体画像を貼り付けさせ，
立体画像が貼り付けられた上記ページに規定されている視差量を読み取らせ，
上記ページに貼り付けられた立体画像に規定されている視差量を，読み取られた視差量に変更させるように電子アルバム生成装置のコンピュータを制御するプログラム。
【請求項１８】
立体画像貼り付け装置のコンピュータを制御するコンピュータが読み取り可能なプログラムであって，
立体表示の視差量が規定されている１つのテンプレートに複数の立体画像を貼り付けさせ，
複数の立体画像が貼り付けられた上記テンプレートに規定されている視差量を読み取らせ，
上記テンプレートに貼り付けられた複数の立体画像に規定されているそれぞれの視差量を，読み取られた視差量にそれぞれ変更させるように立体画像貼り付け装置のコンピュータを制御するプログラム。
【発明の詳細な説明】
【技術分野】
【０００１】
この発明は，電子アルバム生成装置および立体画像貼り付け装置ならびにそれらの動作制御方法およびそれらのプログラムに関する。
【背景技術】
【０００２】
コンピュータを利用してアルバムを作成する場合，テンプレートにレイアウト枠の画像の特徴量が記述されており，複数の画像の特徴と比較され，一致する画像がレイアウト枠に配置する候補の画像として選択されるものがある（特許文献１）。しかしながら，所望のレイアウト枠に貼り付けようとする画像が，そのレイアウト枠に対応する特徴を持っていなければ，そのレイアウト枠に画像を貼り付けることはできない。また，立体画像を表示する場合に，立体画像の飛び出し量が一意に決まらないので取り出し量を調整するもの（特許文献２），画像の拡大，縮小により飛び出し量が変化するので，変化した飛び出し量が視差範囲内かどうか判別するもの（特許文献３）などがある。
【０００３】
しかしながら，電子アルバムに立体画像を貼り付ける場合に，電子アルバムのページごとに立体画像が見やすくなるようにすることは考えられていない。また，電子アルバムに限らず，１つのテンプレートに立体画像を貼り付ける場合に，立体画像が見やすくなるようにすることも考えられていない。
【先行技術文献】
【特許文献】
【０００４】
【特許文献１】特開2010-72934号公報
【特許文献２】特開2010-45584号公報
【特許文献３】特許第4259913号
【発明の概要】
【０００５】
この発明は，電子アルバムに立体画像を貼り付けた場合に，電子アルバムのページごとに立体画像が見やすくなるようにすることを目的とする。また，この発明は，テンプレートに立体画像を貼り付けた場合に，立体画像が見やすくするようにすることを目的とする。
【０００６】
第１の発明による電子アルバム生成装置は，立体画像を貼り付けるページが複数ある電子アルバムの上記ページのそれぞれに立体表示の視差量が規定されており，そのような電子アルバムを構成する上記ページに立体画像を貼り付ける（ページに貼り付けられる立体画像は，１つでも複数でもよい）画像貼り付け手段，上記画像貼り付け手段によって立体画像が貼り付けられた上記ページに規定されている視差量を読み取る視差量読み取り手段，および上記画像貼り付け手段によって上記ページに貼り付けられた立体画像に規定されている視差量を，上記視差量読み取り手段によって読み取られた視差量に変更する視差量変更手段を備えていることを特徴とする。
【０００７】
第１の発明は，上記電子アルバム生成装置に適した動作制御方法も提供している。すなわち，この方法は，画像貼り付け手段が，立体画像を貼り付けるページが複数ある電子アルバムの上記ページのそれぞれに立体表示の視差量が規定されており，そのような電子アルバムを構成する上記ページに立体画像を貼り付け，視差量読み取り手段が，上記画像貼り付け手段によって立体画像が貼り付けられた上記ページに規定されている視差量を読み取り，視差量変更手段が，上記画像貼り付け手段によって上記ページに貼り付けられた立体画像に規定されている視差量を，上記視差量読み取り手段によって読み取られた視差量に変更するものである。
【０００８】
第１の発明は，上記電子アルバム生成装置の動作制御方法を実施するためのコンピュータ読み取り可能なプログラムも提供している。そのようなプログラムを格納した記録媒体も提供するようにしてもよい。
【０００９】
第１の発明によると，電子アルバムには立体画像を貼り付けるページが複数含まれている。それぞれのページには，立体表示の視差量が規定されており，そのようなページに立体画像が貼り付けられる。すると，立体画像が貼り付けられたページに規定されている視差量が読み取られる。ページに貼り付けられた立体画像に規定されている視差量が，読み取られた視差量に変更される。立体画像が電子アルバムのページに貼り付けられると，立体画像に規定されている視差量ではなくページに規定されている視差量に変更させられるので，電子アルバムのページごとに立体画像が見やすくなる。
【００１０】
上記ページには立体画像を貼り付ける貼り付け領域が複数規定されており，かつ複数の貼り付け領域のそれぞれに立体表示の視差量が規定されていてもよい。この場合，上記視差量読み取り手段は，たとえば，上記画像貼り付け手段によって立体画像が貼り付けられた上記貼り付け領域に規定されている視差量を読み取るものとなろう。
【００１１】
上記ページが２ページの見開きの１ページであり，上記ページの中央よりも内側の部分に規定されている貼り付け領域の視差量が，上記ページの中央よりも外側の部分に規定されている貼り付け領域の視差量よりも大きく規定されていてもよい。
【００１２】
上記ページが見開きの１ページであり，上記ページの中央よりも内側の部分に規定されている貼り付け領域の視差量が，上記ページの中央よりも外側の部分に規定されている貼り付け領域の視差量よりも大きくなるように視差量を修正する第１の視差量修正手段をさらに備えてもよい。
【００１３】
上記画像貼り付け手段によって同一ページに貼り付けられた立体画像が複数の場合に，同一ページに貼り付けられた複数の立体画像の大きさが大きいほど視差量が大きくなるように，上記視差量変更手段によって変更させられた視差量を修正する第２の視差量修正手段をさらに備えてもよい。
【００１４】
上記複数の貼り付け領域のそれぞれの領域に立体画像が貼り付けられており，上記複数の貼り付け領域のうちの第1の貼り付け領域に貼り付けられている立体画像の視差量を調整する視差量調整手段，および上記複数の貼り付け領域における視差量の大小関係が，上記視差量調整手段によって調整された前後において同じとなるように，上記複数の貼り付け領域のうち上記視差量調整手段によって調整された貼り付け領域を除く貼り付け領域の視差量を修正する第３の視差量修正手段をさらに備えてもよい。
【００１５】
上記画像貼り付け手段によって貼り付けられた立体画像に規定されていた視差量と立体画像が貼り付けられた貼り付け領域に規定されている視差量との差が第１のしきい値以上のときに警告する警告手段をさらに備えてもよい。
【００１６】
好ましくは，上記複数の貼り付け領域のうち，上記貼り付け領域に貼り付けられる立体画像に規定されている視差量との差が，第２のしきい値以下となる視差量が規定されている貼り付け領域を，他の貼り付け領域と異なって表示するように表示装置を制御する表示制御手段をさらに備える。
【００１７】
第２の発明による立体画像貼り付け装置は，立体表示の視差量が規定されている１つのテンプレートに複数の立体画像を貼り付ける画像貼り付け手段，上記画像貼り付け手段によって複数の立体画像が貼り付けられた上記テンプレートに規定されている視差量を読み取る視差量読み取り手段，および上記画像貼り付け手段によって上記テンプレートに貼り付けられた複数の立体画像に規定されているそれぞれの視差量を，上記視差量読み取り手段によって読み取られた視差量にそれぞれ変更する視差量変更手段を備えていることを特徴とする。
【００１８】
第２の発明は，上記立体画像貼り付け装置に適した動作制御方法も提供している。すなわち，この方法は，画像貼り付け手段が，立体表示の視差量が規定されている１つのテンプレートに複数の立体画像を貼り付け，視差量読み取り手段が，上記画像貼り付け手段によって複数の立体画像が貼り付けられた上記テンプレートに規定されている視差量を読み取り，視差量変更手段が，上記画像貼り付け手段によって上記テンプレートに貼り付けられた複数の立体画像に規定されているそれぞれの視差量を，上記視差量読み取り手段によって読み取られた視差量にそれぞれ変更するものである。
【００１９】
第２の発明は，上記立体画像貼り付け装置の動作制御方法を実施するためのコンピュータが読み取り可能なプログラムも提供している。そのようなプログラムを格納した記録媒体を提供するようにしてもよい。
【００２０】
第２の発明によると，テンプレートに立体表示の視差量が規定されている。そのような１つのテンプレート（テンプレートには画像貼り付け領域が規定されていても，規定されていなくともよい。）に複数の立体画像が貼り付けられる。すると，複数の立体画像が貼り付けられたテンプレートに規定されている視差量が読み取られる。テンプレートに貼り付けられた複数の立体画像に規定されている視差量が，テンプレートから読み取られた視差量に変更される。複数の立体画像がテンプレートに貼り付けられると，立体画像に規定されている視差量ではなくテンプレートに規定されている視差量に変更させられるので立体画像が見やすくなる。
【００２１】
上記テンプレートには立体画像を貼り付ける貼り付け領域が複数規定されており，かつ複数の貼り付け領域のそれぞれに立体表示の視差量が規定されていてもよい。この場合，上記視差量読み取り手段は，たとえば，上記画像貼り付け手段によって立体画像が貼り付けられた上記貼り付け領域に規定されている視差量を読み取るものとなろう。
【００２２】
上記画像貼り付け手段によって貼り付けられた立体画像の大きさが大きいほど視差量が大きくなるように，上記視差量変更手段によって変更させられた視差量を修正する第１の視差量修正手段をさらに備えてもよい。
【００２３】
上記複数の貼り付け領域のそれぞれの領域に立体画像が貼り付けられており，上記複数の貼り付け領域のうちの第１の貼り付け領域に貼り付けられている立体画像の視差量を調整する視差量調整手段，および上記複数の貼り付け領域における視差量の大小関係が，上記視差量調整手段によって調整された前後において同じとなるように，上記複数の貼り付け領域のうち上記視差量調整手段によって調整された貼り付け領域を除く貼り付け領域の視差量を修正する第２の視差量修正手段をさらに備えてもよい。
【００２４】
上記画像貼り付け手段によって貼り付けられた立体画像に規定されていた視差量と立体画像が貼り付けられた貼り付け領域に規定されている視差量との差が第１のしきい値以上のときに警告する警告手段をさらに備えてもよい。
【００２５】
上記複数の貼り付け領域のうち，上記貼り付け領域に貼り付けられる立体画像に規定されている視差量との差が，第２のしきい値以下となる視差量が規定されている貼り付け領域を，他の貼り付け領域と異なって表示するように表示装置を制御する表示制御手段をさらに備えることが好ましい。
【図面の簡単な説明】
【００２６】
【図１】パーソナル・コンピュータの電気的構成を示すブロック図である。
【図２】電子アルバム編集用ウインドウの一例である。
【図３】電子アルバムを構成するページ画像の一例である。
【図４】ＸＭＬファイルに記述されている内容の一例である。
【図５】（Ａ）は左目用画像を，（Ｂ）は右目用画像をそれぞれ示している。
【図６】立体画像の一例である。
【図７】立体画像の一例である。
【図８】電子アルバムを構成するページ画像の一例である。
【図９】電子アルバム生成処理手順を示すフローチャートである。
【図１０】電子アルバムを構成するページ画像の一例である。
【図１１】ＸＭＬファイルに記述されている内容の一例である。
【図１２】電子アルバムを構成するページ画像の一例である。
【図１３】電子アルバムを構成するページ画像の一例である。
【図１４】電子アルバムを構成するページ画像の一例である。
【図１５】電子アルバムを構成するページ画像の一例である。
【図１６】電子アルバムを構成するページ画像の一例である。
【図１７】電子アルバムを構成するページ画像の一例である。
【図１８】視差量を示している。
【図１９】電子アルバム生成処理手順を示すフローチャートである。
【図２０】電子アルバムを構成するページ画像の一例である。
【図２１】電子アルバム生成処理手順を示すフローチャートである。
【図２２】電子アルバムを構成するページ画像の一例である。
【図２３】電子アルバム生成処理手順を示すフローチャートである。
【図２４】電子アルバム生成処理手順を示すフローチャートである。
【図２５】電子アルバムを構成するページ画像の一例である。
【実施例】
【００２７】
図１は，この発明の実施例を示すもので，パーソナル・コンピュータ１の電気的構成を示すブロック図である。この実施例では，パーソナル・コンピュータ１は，インターネットを介してサーバ・コンピュータ（図示略）と通信する。サーバ・コンピュータ１と通信しながら，ユーザはパーソナル・コンピュータ１を用いて電子アルバムを作成する。もちろん，パーソナル・コンピュータ１を用いずに，スーパー，デパート，コンビニエンス・ストアなどに置かれている店頭端末装置を利用して電子アルバムを生成することもできる。その場合には，店頭端末装置が図１に示す電気的構成をもつものとなる。
【００２８】
パーソナル・コンピュータ１の全体の動作は，ＣＰＵ２によって統括される。
【００２９】
パーソナル・コンピュータ１には，表示装置３，メモリ４，サーバ・コンピュータと通信するための通信装置５，およびキーボード，マウスなどの入力装置６が含まれている。また，パーソナル・コンピュータ１には，多数の画像を表わす画像データなどが記録されているハード・ディスク10およびハード・ディスク10にアクセスするためにハードディスク・ドライブ９が含まれている。さらに，パーソナル・コンピュータ７には，後述する動作を制御するプログラムが格納されているCD-ROM８にアクセスするCD-ROMドライブ７も含まれている。CD-ROM８に格納されているプログラムがCD-ROMドライブ８によって読み取られ，読み取られたプログラムがパーソナル・コンピュータ１にインストールされることにより，パーソナル・コンピュータ１が後述するように動作する。もっとも動作プログラムは，CD-ROM８のようなパーソナル・コンピュータ１に着脱自在な記録媒体に格納されていなくとも，ネットワークを介してパーソナル・コンピュータ１にダウンロードされて，パーソナル・コンピュータ１にインストールされるようにしてもよい。
【００３０】
図２は電子アルバム編集用ウインドウ40の一例である。
【００３１】
以下，電子アルバムの生成処理について説明するが，パーソナル・コンピュータ１は，サーバ・コンピュータとすでに接続しており，パーソナル・コンピュータ１の表示装置３の表示画面には図２に示す電子アルバム編集用ウインドウ40が表示されているものとする。
【００３２】
編集用ウインドウ40の左下部には，電子アルバムに貼り付ける画像42が表示される画像表示領域41が形成されている。この画像表示領域41に，ハード・ディスク10に格納されている画像データによって表わされる画像（ユーザの画像）42が表示されている。店頭端末装置を用いて電子アルバムを作成する場合には，ユーザは画像データが記録されているメモリ・カードなどの記録媒体を持参し，その記録媒体から画像データが読み取られ，読み取られた画像データによって表される画像が画像表示領域41に表示されるのはいうまでもない。そのような場合には，店頭端末装置にはメモリ・カード・リーダが設けられる。画像表示領域41の右側にはスクロール・ボタン43が形成されている。スクロール・ボタン43はカーソル（図示略）によって上下に移動自在である。スクロール・ボタン43がカーソルによって上下に移動させられることにより，画像表示領域41に現れていない画像が画像表示領域41に現れる。
【００３３】
詳しくは後述するように，この実施例では電子アルバムに立体画像を表示させることができる。画像表示領域41に表示されている画像42も立体画像である。
【００３４】
編集用ウインドウ40の上部には，電子アルバムを構成するページの画像45が表示されるページ表示領域44が形成されている。ページ表示領域44の下にはスクロール・ボタン46が形成されている。スクロール・ボタン46もカーソル（図示略）によって左右に移動自在である。スクロール・ボタン46がカーソルによって左右に移動させられることにより，ページ表示領域44に現れていないページの画像がページ表示領域44に現れる。
【００３５】
編集用ウインドウ40のほぼ全体にわたって電子アルバムを構成するページを編集する編集領域48が形成されている。ページ表示領域44に表示されているページの画像の中から所望のページの画像が選択されると（たとえば，ドラッグ・アンド・ドロップにより選択されると），その選択されたページの画像49が編集領域48に表示される。選択されたページの画像49の左側のページ51および右側のページ52（左側のページ51または右側のページ52を単独で考えた場合，電子アルバムを構成しない１つのテンプレートと捉えることができる）のそれぞれに複数の（単数でもよい）画像合成領域（貼り付け領域）53が規定されている。この画像合成領域53に，電子アルバムを構成する画像が貼り付けられる。たとえば，画像表示領域41に表示されている画像42の中から所望の画像が，所望の画像合成領域53にドラッグ・アンド・ドロップされることにより（もっとも，画像合成領域53などに選択される画像を決定できればよいので，画像の選択はドラッグ・アンド・ドロップに限らず，クリックなどによるものでもよい），画像貼り付けが行われる。編集用ウインドウ40の右側には，文字合成，画像削除，画像の色変換など行うための編集用ボタン47が形成されている。
【００３６】
図３は，編集用ウインドウ40の編集領域48に表示されている右側のページ52を図２に比べて拡大したものである。
【００３７】
電子アルバムを構成するページ52にはファイル名として「background1.jpg」が付与されている。このファイル名によってページ52が特定される。上述したように，電子アルバムを構成するページ52には６つの画像合成領域53Ａ〜53Ｆが形成されている。これらの画像合成領域53Ａ〜53Ｆに画像が貼り付けられる。とくに，この実施例においては，画像合成領域53Ａ〜53Ｆには立体画像が貼り付けられる。ユーザは，立体画像の電子アルバムを生成することができる。
【００３８】
画像合成領域53Ａ〜53Ｆの大きさは，すべて幅320画素，高さ240画素である。もっとも，画像合成領域の大きさはページごとに異なるものでもよいし，同一ページに形成されている画像合成領域の大きさも異なるものでもよい。ページ52の左上の頂点の座標を（０，０）とすると，第１の画像合成領域53Ａ，第２の画像合成領域53Ｂ，第３の画像合成領域53Ｃ，第４の画像合成領域53Ｄ，第５の画像合成領域53Ｅおよび第６の画像合成領域53Ｆの左上の原点は，それぞれ（80，80），（560，80），（80，400），（560，400），（80，720）および（560，720）である。
【００３９】
図４は，XML（eXtensible Markup Language）ファイルに記述されている内容を示している。
【００４０】
第１行目は，このXMLファイルに記述されている文書がxmlに基づくものであり，文字エンコーディングがutf-8形式であることを宣言している。第２行目は，このXMLファイルに記述されている内容がファイル名「background1.jpg」をもつファイルについてのものであることを示している。図４に示した内容は，図３に示したページ52の画像についてのものとなる。第３行目および第10行目は，ルート・ノードである。第４行目から第９行目は，第２行目のファイル名をもつファイルによって表わされるページ52に形成されている画像合成領域の内容を規定している。「picture id」は，画像合成領域53Ａ〜53Ｆの識別データである。「picture id」が１，２，３，４，５および６がそれぞれ画像合成領域53Ａ，53Ｂ，53Ｃ，53Ｄおよび53Ｆを表わしている。「left」は，画像合成領域53Ａ〜53Ｆのそれぞれの左上の原点のページ52上でのＸ座標位置を示している。「top」は，画像合成領域53Ａ〜53Ｆのそれぞれの左上の原点のページ52上でのＹ座標位置を示している。「width」は，画像合成領域53Ａ〜53Ｆのそれぞれの幅を示している。「height」は，画像合成領域53Ａ〜53Ｆのそれぞれの高さを示している。「３ｄ」は，画像合成領域53Ａ〜53Ｆのそれぞれに立体画像が貼り付けられた場合の飛び出し量（立体画像の視差量）を割合（％）で示している。
【００４１】
第１の画像合成領域53Ａに立体画像が貼り付けられる場合には，その立体画像の視差量は幅の５％となる。同様に，第２の画像合成領域53Ｂ，第３の画像合成領域53Ｃ，第４の画像合成領域53Ｃ，第５の画像合成領域53Ｄおよび第６の画像合成領域53Ｆの視差量は，それぞれ幅の５％，15％，15％，５％および５％となる。上述したように，この実施例では，画像合成領域ごとに視差量が規定されており，その規定された視差量となるように（立体画像に視差量が規定されていたとしても），それぞれの画像合成領域に貼り付けられた立体画像の視差量が変更させられる。
【００４２】
ページを表わす画像ファイルと，その画像ファイルに対応するＸＭＬファイルとはハード・ディスク10に記憶されている。画像合成領域ごとに視差量が規定されずにページごとに視差量が規定されてもよい。その場合にはページごとの視差量が記述されたＸＭＬファイルが記憶されることとなる。
【００４３】
図５（Ａ）は左目用画像70Ｌを示し，図５（Ｂ）は右目用画像70Ｒを示している。
【００４４】
立体画像を表示する場合には，観賞者の左目で見る左目用画像70Ｌと観賞者の右目で見る右目用画像70Ｒとが必要である。このために，この実施例では，画像合成領域に立体画像として表示させたい画像には，左目用画像70Ｌと右目用画像70Ｒとがあらかじめ記憶されている。
【００４５】
図６は，立体画像に規定されている視差量をもつ立体画像を示している。
【００４６】
左目用画像70Ｌと右目用画像70Ｒとが重ね合わせられると，観賞者は重複画像部分71を立体画像として見ることができる。この実施例では，この重複画像部分71のうち，画像合成領域の大きさと同じ大きさの領域72内の画像部分が画像合成領域に表示される。画像合成領域に表示される画像は立体画像となる。
【００４７】
立体画像には，撮像時の視差量Ｌ１が規定されており，通常であれば，その視差量Ｌ１をもつ立体画像が表示されることとなるが，この実施例では，撮像時の視差量Ｌ１ではなく，上述のように画像合成領域（またはページ）に視差量が規定されており，画像合成領域に規定されている視差量をもつ立体画像が表示される。
【００４８】
図７は，画像合成領域に規定されている視差量をもつ立体画像の一例である。
【００４９】
立体画像が貼り付けられる画像合成領域に規定されている視差量を視差量Ｌ２とする。立体画像に規定されている視差量が図６に示すようにＬ１だとしても，画像合成領域に立体画像が貼り付けられることにより画像合成領域に規定されている視差量Ｌ２をもつ立体画像が表示されるようになる。
【００５０】
図８は，ページ52に貼り付けられた立体画像の一例である。
【００５１】
画像合成領域53Ｂに立体画像が貼り付けられたものとする。画像合成領域53Ｂには，視差量Ｌ２が規定されているものとすると，立体画像に規定されていた視差量がＬ１だったとしても，その画像合成領域53Ｂには視差量Ｌ２をもつ立体画像（図７参照）が表示されるようになる。
【００５２】
図９は，電子アルバムの生成処理手順を示すフローチャートである。
【００５３】
上述のように，ページ表示領域44に表示されているページの画像45の中から所望のページが選択される（ステップ61）。すると，選択されたページが編集領域48に表示される（ステップ62）。
【００５４】
編集領域48に表示されたページに貼り付ける立体画像が画像表示領域41に表示されている画像42の中から選択されて，ページに形成されている画像表示領域に貼り付けられる（ステップ63）。立体画像が貼り付けられた画像合成領域に規定されている視差量が，その画像合成領域が形成されているページの画像ファイルに対応するＸＭＬファイルから読み取られる（ステップ64）。画像合成領域に貼り付けられる立体画像の視差量が，その立体画像に規定されている視差量から，画像合成領域に規定されている視差量に変更させられる（ステップ65）。
【００５５】
上述の実施例では，ページに画像合成領域が形成されており，その形成されている画像合成領域に立体画像が貼り付けられると，その画像合成領域に規定されている視差量をもつような立体画像が表示される。これに対して，次に述べる実施例では，ページには立体画像を貼り付ける画像合成領域が規定されていずに，ユーザが好きな位置に立体画像を貼り付けるものである。
【００５６】
図10は，電子アルバムを構成するページ（電子アルバムを構成せずに１つのテンプレートと考えることもできるが，１つのテンプレートと考えた場合には複数の画像が貼り付けられるのはいうまでもない）の一例である。
【００５７】
ページ80には，ファイル名「background2.jpg」が付与されている。ページ80には，視差量を相対的に大きくする領域82と，視差量を相対的に小さくする領域81とが規定されている。領域82を規定する枠は表示されていてもよいし，表示されていなくともよい。これらの領域81および82も立体画像を貼り付ける貼り付け領域（画像合成領域）と考えることができる。
【００５８】
領域82に立体画像が貼り付けられると，領域81に立体画像が貼り付けられた場合と比較して視差量が大きくなる［たとえば，立体画像（重複画像部分）の幅の10％］。逆に領域81に立体画像が貼り付けられると，領域82に立体画像が貼り付けられた場合と比較して視差量が小さくなる（たとえば，立体画像の幅の５％）。
【００５９】
図11は，図10に示すページ80に対応するＸＭＬファイルに記述されている内容を示している。
【００６０】
第１行目は，図４に示すXMLファイルに記述されている宣言と同様に，このXMLファイルに記述されている文書がxmlに基づくものであり，文字エンコーディングがutf-8形式であることを宣言している。第２行目は，このXMLファイルに記述されている内容がファイル名「background2.jpg」をもつファイルについてのものであることを示している。図11に示した内容は，図10に示したページ80についてのものとなる。第３行目，第６行目および第８行目は，ルート・ノードである。第４行目は，円である領域82（area id=1）の視差量が，貼り付けられた立体画像の幅の10％であることを規定している。第５行目は，円である領域82の中心のＸ座標，Ｙ座標が（110，100）（画素）であり，半径が60（画素）であることを示している。第７行目は，円である領域82以外の領域81（area id=2）の視差量が，貼り付けられた立体画像の幅の５％であることを規定している。
【００６１】
このようにXMLファイルが記述されることにより，次に述べるように，立体画像が貼り付けられた位置に応じて視差量を変えることができる。
【００６２】
図12および図13は，立体画像を貼り付ける様子を示している。
【００６３】
この実施例では，ページ80に貼り付ける立体画像83の面積の半分以上が領域81または領域82のどちらにあるかが判定される。領域81または82のうち，立体画像83の面積の半分以上が存在する領域に規定されている視差量が立体画像83の視差量とされる。
【００６４】
図12を参照して，ページ80に貼り付ける立体画像83の面積の半分以上が領域81に含まれる場合には，立体画像83の視差量は領域81に規定されている比較的小さな視差量とされる。
【００６５】
図13を参照して，ページ80に貼り付ける立体画像83の面積の半分以上が領域82に含まれる場合には，立体画像83の視差量は領域82に規定されている比較的大きな視差量とされる。
【００６６】
立体画像83の面積の半分以上が領域81または82のどちらかに含まれているかに応じて視差量を決定せずに，立体画像83が領域81から82または領域82から81に移動することに応じて，徐々に視差量を変えるようにしてもよい。すなわち，立体画像83の面積が領域81または82に含まれている割合に応じて視差量の割合を変えるようにしてもよい。たとえば，立体画像83の面積が領域81に含まれている割合と領域82に含まれている割合が２対１であれば，領域81の視差量の割合と領域82の視差量の割合とが２対１となるように視差量が決定される［この場合，視差量は（10×２＋５）／３で約８％］。
【００６７】
図14は，ページ80に立体画像84が貼り付けられている様子を示している。
【００６８】
上述のように，領域82に規定されている視差量をもつように立体画像の視差量が変更させられる。しかしながら，立体画像の視差量の調整可能範囲が規定されている場合がある（視差量の調整可能範囲は，立体画像を表わす画像ファイルのヘッダに記録されていることとなろう）。領域82（画像合成領域53，領域81でも同様である）に規定されている視差量が立体画像の視差量の調整可能範囲を超える場合には，領域82に規定されている視差量となるように立体画像を拡大することもできる。このように拡大された立体画像84を表わすものが図14に示されている。図６または図７に示すように，立体画像を構成する左目用画像70Ｒおよび右目用画像70Ｌのそれぞれの画像を拡大することにより立体画像が拡大される。
【００６９】
図15は，他の実施例を示すもので，左右の見開きのページ90Ｌおよび90Ｒの一例である。この実施例は，見開きのページがある場合，中心部の画像合成領域の視差量を大きくするものである。
【００７０】
ページ90Ｌおよび90Ｒのそれぞれのページに対応するＸＭＬファイルも記憶されている。もっとも，見開きの２ページを一つの画像ファイルで表わし，その一つの画像ファイルに対応するように１つのＸＭＬファイルが記憶されるようにしてもよい。
【００７１】
左ページ90Ｌには，画像合成領域91〜94が２行２列で形成されている。同様に右ページ90Ｒは，画像合成領域95〜98が２行２列で形成されている。これらの画像合成領域91〜98の大きさ，形状は同じである。
【００７２】
領域99で囲まれているように，左ページ90Ｌおよび右ページ90Ｒのそれぞれの内側（中心部）に形成されている画像合成領域92，94，95および97に規定されている視差量は「大（例えば，画像合成領域91〜98の幅の15％）」と規定されている。左ページ90Ｌおよび右ページ90Ｒのそれぞれの外側に形成されている画像合成領域91，93，96および98に規定されている視差量は「小（例えば，画像合成領域91〜98の幅の５％）」と規定されている。
【００７３】
内側の画像合成領域92，94，95および97に立体画像が貼り付けられる場合には視差量が大きくなり，外側の画像合成領域91，93，96および98に立体画像が貼り付けられる場合には視差量が小さくなる。見開きページの内側に表示される立体画像の視差量が大きくなるので，電子アルバムを閲覧する場合に比較的見やすくなる。
【００７４】
図16および図17は，変形例を示すもので，左右のページ90Ｌおよび90Ｒを示している。
【００７５】
図16を参照して，画像合成領域91〜98のそれぞれには視差量が規定されている。画像合成領域91〜98の中に記載されている大，中または小の文字が視差量の程度を示している。画像合成領域91，92，96および98は視差量が「中」，画像合成領域93，94および97は視差量が「小」，画像合成領域95は視差量が「大」である。
【００７６】
図18は，視差量の定義を示している。
【００７７】
立体画像を構成する左目用画像と右目用画像との水平方向のずれ量が画像合成領域の幅の５％，10％または15％であれば視差量はそれぞれ「小」，「中」または「大」である。画像合成領域の幅を1000画素とすると，ずれ量が５％，10％または15％は，それぞれ50画素，100画素または150画素となる。
【００７８】
図17を参照して，画像合成領域91〜98に視差量が規定されている場合において,領域99で囲まれている内側の画像合成領域92，94，95および97の視差量については，画像合成領域92，94，95および97に規定されている視差量に，画像合成領域がページの内側であることを考慮して視差量が上乗せされる（第１の視差量修正）。画像合成領域92，94，95および97の視差量は，図16に示すように規定されている視差量よりも一段階大きいものとなる。画像合成領域92の視差量は「中」であるから視差量は「大」となり，画像合成領域94および97の視差量は「小」であるから視差量は「中」となり，画像合成領域95の視差量は「大」であるから視差量は「特大」となる。「特大」の視差量は，例えば，ずれ量が画像合成領域95の幅の20％となる。
【００７９】
このように，見開きページ90Ｌおよび90Ｒの中央の画像合成領域92，94，95および97については視差量が大きくなる。視差量を「大」，「中」，「小」で表わさずに，画素数で表わしてもよい。視差量を大きくする場合は，一定の値の視差量を加算してもよいし，１より大きな数字の倍率で乗算してもよい。さらに，上述のように左右に見開きのページでなくとも上下に見開きのページ，左右または上下ページのうち，いずれか一方にのみ画像合成領域が形成されている場合にも中央部分に形成されている画像合成領域の視差量を大きくするようにしてもよい。さらに，図10から図14に示すように，画像合成領域が規定されていない場合であっても，見開きに近い部分（見開いたときに中央に近い部分）に立体画像が貼り付けられた場合にも同様に立体画像の視差量を大きくするようにしてもよい。
【００８０】
図19は，電子アルバム生成処理手順を示すフローチャートである。この図において，図９に示す処理と同一の処理については同一符号を付して説明を省略する。この実施例は，上述のように，見開きページの内側の画像合成領域に立体画像が貼り付けられる場合には，視差量が大きくされるものである。
【００８１】
見開きのページが選択され（ステップ61），編集領域48に表示されているものとする。ページに形成されている画像合成領域に立体画像が貼り付けられ（ステップ63），立体画像が貼り付けられた画像合成領域が内側の領域かどうかが判定される（上述したように，領域99内の画像合成領域かどうか）（ステップ101）。
【００８２】
内側の領域であれば（ステップ101でＹＥＳ），画像合成領域に規定されている視差量よりも大きくなるように視差量が修正（第１の視差量修正）される（ステップ102）。上述のように，画像合成領域に規定されている視差量が「中」であれば，視差量は「大」とされる。他の視差量も同様である。内側の領域でなければ（ステップ101でＮＯ），ステップ102の処理はスキップされる。
【００８３】
画像合成領域に貼り付けられた立体画像の視差量が，ステップ102で修正された視差量またはステップ64で読み取られた視差量に変更させられる（ステップ103）。
【００８４】
上述の実施例において，画像合成領域91〜98のうち，所望の画像合成領域に貼り付けられている立体画像の視差量がユーザによって調整させられた場合には（視差量調整手段），視差量が調整させられた立体画像が貼り付けられている画像合成領域以外の他の画像合成領域の視差量も同様に修正させられるようにしてもよい（第３の視差量修正）。たとえば，ある画像合成領域に貼り付けられた立体画像の視差量が1.1倍とされると，他の画像合成領域に貼り付けられた立体画像の視差量も1.1倍とされる。
【００８５】
図20は，変形例を示すもので，上下の見開きページの一例である。
【００８６】
上側のページ110Ｕには画像合成領域111〜114が２行２列で形成されている。下側のページ110Ｌにも画像合成領域115〜118が２行２列で形成されている。これらの画像合成領域111〜118のそれぞれには，上述のように視差量が規定されている。
【００８７】
上側のページ110Ｕに形成されており，領域119で囲まれている画像合成領域111〜114に規定されている視差量よりも大きくなるように視差量が修正させられる。
【００８８】
このように，見開きページの内側のみならず任意の画像合成領域または貼り付けられた部分において視差量大きく（または小さく）なるように修正するようにしてもよい。
【００８９】
上述の実施例において視差量を大きくする領域99，119はＸＭＬファイルに規定されていてもよいし，ページを表わすファイルのヘッダに格納されていてもよい。また，画像合成領域91〜98，111〜118の視差量は，図４に示すものと同様にページに対応するＸＭＬファイルに記述されているのはいうまでもない。
【００９０】
図21および図22は，他の実施例を示している。この実施例は，立体画像の貼り付け位置に応じて視差量を変更するものである。
【００９１】
電子アルバムのページが選択され（ステップ61），選択されたページが編集領域に表示される（ステップ62）。つづいて，選択されたページがフリー・レイアウトのページかどうかが判断される（ステップ121）。フリー・レイアウトのページでなければ（ステップ121でＮＯ），他の処理，たとえば，図９ステップ63以降の処理が行われる。
【００９２】
フリー・レイアウトのページであれば（ステップ121でＹＥＳ），立体画像が選択され，選択された立体画像の拡大，配置が指示される（ステップ122）。指示に応じて立体画像の拡大，配置が行われる（ステップ123）。複数の立体画像がフリー・レイアウトのページに貼り付けられる場合には，立体画像の拡大，配置等が繰り返される。
【００９３】
立体画像の配置が終了すると，フリー・レイアウトのページに貼り付けられた立体画像の大きさが検出される（ステップ124）。フリー・レイアウトのページ全体に規定されている視差量がフリー・レイアウトのページに対応するＸＭＬファイルから読み取られる。立体画像の視差量は，読み取られた視差量に変更される。その後，大きさがもっとも大きい立体画像の視差量が持つとも大きくなるように立体画像の視差量が修正（第２の視差量修正）させられる（ステップ125）。
【００９４】
図22は，立体画像が貼り付けられたページ（このページを１つのテンプレートと考えることができる）の一例である。
【００９５】
ページ130に立体画像131，132および133が貼り付けられている。大きさのもっとも大きな立体画像は立体画像131である。したがって，立体画像131の視差量がもっとも大きくされる。もっとも大きい立体画像131に近い立体画像132の視差量が次に大きくなり，立体画像131から遠い立体画像133の視差量が一番小さくなる。たとえばフリー・レイアウトのページに規定されている視差量がページの幅の５％とすると，立体画像131，132および133のそれぞれの視差量は，たとえば，ページの幅の７％，４％および２％となる。
【００９６】
上述の実施例では，同一ページに貼り付けられた複数の立体画像のうち，もっとも大きい立体画像が，視差量がもっとも大きくなり，その他の立体画像についてはもっとも大きい立体画像から近いほど視差量が大きくされているが，もっとも大きい立体画像からの近さに関係なく，立体画像の大きさ順に視差量の大きさの大きさを決定するようにしてもよい。その場合には，図22に示す例では，視差量がもっとも大きいのは立体画像131であり，次に視差量が大きいのは立体画像133であり，視差量がもっとも小さいのは立体画像132となる。
【００９７】
フリー・レイアウトのページに，図10に示すように視差量の大きさを規定する領域81および82が規定されている場合には，その規定されている視差量の大きさと上述のように立体画像の大きさにもとづいて決定される視差量の大きさとを組み合わせて視差量を決定するようにしてもよい。たとえば，図22において立体画像131，132および133のそれぞれの視差量が「大」，「中」および「小」であったとし，立体画像131，132または133が図10に示すように領域82内に入っている場合には視差量を一段階上げ，立体画像131，132または133が図10に示すように領域81内に入っている場合には視差量を一段階下げる。
【００９８】
さらに，フリー・レイアウトのページにおいて，貼り付けられている立体画像の配置を変更する場合に，その変更に応じて視差量を変更してもよい。たとえば，ページの上下左右のいずれかに立体画像の配置を変更する場合には視差量を大きくするようにしてもよい。また，立体画像の大きさを拡大または縮小したことに応じて，視差量を大きくまたは小さくするようにしてもよい。
【００９９】
図23は，他の実施例を示すもので，電子アルバムの生成処理手順を示すフローチャートである。この図において，図９に示す処理と同一の処理については同一符号を付して説明を省略する。
【０１００】
上述のように，ページおよび立体画像が選択され，選択された立体画像がページに形成されている画像合成領域に貼り付けられると（ステップ61〜63），立体画像に規定されている視差量と画像合成領域に規定されている視差量とが読み取られる（ステップ141）。
【０１０１】
読み取られた視差量の差が第１のしきい値よりも大きいと（ステップ142でＹＥＳ），立体画像に規定されている視差量と画像合成領域に規定されている視差量との隔たりが大きいので警告される（ステップ143）。立体画像の貼り付けが中止されなければ（ステップ144でＮＯ），立体画像の視差量が，立体画像が貼り付けられた画像合成領域の視差量に変更させられる（ステップ65）。立体画像の貼り付けが中止されると（ステップ144でＮＯ），ステップ65の処理はスキップされる。警告に応じて立体画像の貼り付けを禁止するようにしてもよい。
【０１０２】
読み取られた視差量の差が大きくなければ（ステップ142でＮＯ），警告が行われることなく，立体画像の視差量が，立体画像が貼り付けられた画像合成領域の視差量に変更させられる（ステップ65）。
【０１０３】
図24および図25は，さらに他の実施例を示している。この実施例は，推奨する画像合成領域をユーザに知らせるものである。
【０１０４】
図24は，電子アルバムの生成処理手順を示すフローチャートである。この図において，図９に示す処理と同一の処理については同一符号を付して説明を省略する。
【０１０５】
立体画像が選択されると（ステップ151），選択された立体画像の視差量が読み取られる（ステップ152）。すると，立体画像に規定されていた視差量と画像合成領域に規定されている視差量との差が第２のしきい値以下となるような視差量が規定されている（選択された立体画像を貼り付けるのに適した）画像合成領域の周りが点滅する（ステップ153）。
【０１０６】
図25は，左右のページ90Ｌおよび90Ｒ（左のページ90Ｌまたは右のページ90Ｒを１つのテンプレートと考えることができる）を示している。この図は，図17に対応するもので，図17に示すものと同一物については同一符号を付して説明を省略する。
【０１０７】
画像表示領域92の周りに点滅する枠160が表示されている。この画像表示領域92は，画像表示領域91〜98のうち，選択された立体画像に規定されている視差量に近い視差量をもつものである。
【０１０８】
枠160が点滅することにより，枠160によって囲まれている画像合成領域92が，選択された立体画像を貼り付けるのに適した領域であることが分かる。
【０１０９】
図24に戻って，選択された立体画像が画像合成領域91から98のいずれの画像合成領域に貼り付けられる（ステップ154）。立体画像の視差量が，貼り付けられた画像合成領域の視差量に変更させられる（ステップ65）。
【０１１０】
上述した立体画像に規定されている視差量は，撮像時に立体撮像カメラによって付与されたものでなくとも，コンピュータを用いて設定されたものでもよい。
【０１１１】
上述の実施例において，複数のページから構成される電子アルバムのそれぞれのページに貼り付けられる立体画像は，複数でなくとも１つでもよい。
【０１１２】
上述の実施例は複数ページから構成される電子アルバムについてのものであるが，複数ページから構成される電子アルバムではなく，１つのテンプレートに複数の立体画像を貼り付ける立体画像貼り付け装置に上述の実施例を適用できる。１つのテンプレートに複数の立体画像が貼り付けられる場合には，上述した電子アルバムを構成する１ページが１つのテンプレートに対応するものとなる。そのようなテンプレートには，複数の立体画像が貼り付けられれば，上述した画像合成領域（画像貼り付け領域）が規定されていても，規定されていなくともよい。
【０１１３】
さらに，電子アルバムには，あたかも紙のアルバムのように１ページずつめくるように表示できるものだけでなく，スライドショーのように１フレームずつ順に複数のページが表示されるものも含まれる。
【符号の説明】
【０１１４】
１  パーソナル・コンピュータ（電子アルバム生成装置）
２  ＣＰＵ（画像貼り付け手段，視差量読み取り手段，視差量変更手段）
【図１】
0005368399.tif 000002
【図２】
0005368399.tif 000003
【図３】
0005368399.tif 000004
【図４】
0005368399.tif 000005
【図５】
0005368399.tif 000006
【図６】
0005368399.tif 000007
【図７】
0005368399.tif 000008
【図８】
0005368399.tif 000009
【図９】
0005368399.tif 000010
【図１０】
0005368399.tif 000011
【図１１】
0005368399.tif 000012
【図１２】
0005368399.tif 000013
【図１３】
0005368399.tif 000014
【図１４】
0005368399.tif 000015
【図１５】
0005368399.tif 000016
【図１６】
0005368399.tif 000017
【図１７】
0005368399.tif 000018
【図１８】
0005368399.tif 000019
【図１９】
0005368399.tif 000020
【図２０】
0005368399.tif 000021
【図２１】
0005368399.tif 000022
【図２２】
0005368399.tif 000023
【図２３】
0005368399.tif 000024
【図２４】
0005368399.tif 000025
【図２５】
0005368399.tif 000026